(57)【要約】【課題】上部プラグの予期しない引抜き操作に安全に対応でき、ストレッチチューブ内のメンテナンスにも対応できるインターナルポンプ用上部プラグを提供する。【解決手段】原子炉圧力容器の下鏡部を貫通して鉛直に設けられたインターナルポンプのノズル部分をモータケーシングの上方から閉塞するインターナルポンプ用上部プラグであり、モータケーシング２２に接続されるストレッチチューブ１７の上端にその下端が当接する中空円筒３２と、この中空円筒の下端に設けられストレッチチューブの上端に密着して炉水の水頭圧に抗するシール性を付加するシールリング３７と、中空円筒の上端側に連結された掴み球３３，３４とを備え、掴み球を原子炉圧力容器の上方から吊下具を介して把持可能とする。【選択図】  図１
2004340638.tif 000002
【特許請求の範囲】
【請求項１】
原子炉圧力容器の下鏡部を貫通して鉛直に設けられたインターナルポンプのノズル部分をモータケーシングの上方から閉塞するインターナルポンプ用上部プラグであって、前記モータケーシングに接続されるストレッチチューブの上端にその下端が当接する中空円筒と、この中空円筒の下端に設けられ前記ストレッチチューブの上端に密着して炉水の水頭圧に抗するシール性を付加するシール部材と、前記中空円筒の上端側に連結された掴み球とを備え、前記掴み球を前記原子炉圧力容器の上方から吊下具を介して把持可能としたことを特徴とするインターナルポンプ用上部プラグ。
【請求項２】
前記掴み球と前記中空円筒との間に、一定以上の荷重が作用した場合に破断し、上下に分離可能な破断部を設けた請求項１記載のインターナルポンプ用上部プラグ。
【請求項３】
前記掴み球は、垂直な軸の上下に１対設けられ、前記破断部は、前記下側の掴み球の上端もしくは内部に配置されれている請求項２記載のインターナルポンプ用上部プラグ。
【請求項４】
前記上側の掴み球と下側の掴み球とは、結合索によって連結されている請求項３記載のインターナルポンプ用上部プラグ。
【請求項５】
前記中空円筒の周壁は、前記モータケーシング内への中水時に上向きに整流する浮き上り防止形状を有する請求項１記載のインターナルポンプ用上部プラグ。
【発明の詳細な説明】
【０００１】
【発明の属する技術分野】
本発明は、沸騰水型原子炉に組み込まれるインターナルポンプの分解、再組立時等における炉水の漏洩を確実に防止するインターナルポンプ用上部プラグに関する。
【０００２】
【従来の技術】
一般に沸騰水型原子炉の定期点検等に際し、原子炉圧力容器の上蓋を取外して原子炉圧力容器内および炉心上方の原子炉ウエルに水張りを施し、放射線の遮蔽を行う。原子炉圧力容器には配管の接続や機器の取付けのためにノズルが設けられており、これらのノズルに取付けられている機器や配管を取外す場合には、まずノズルを閉塞して炉水の流失を防止する必要がある。
【０００３】
図８は、インターナルポンプを内蔵した沸騰水型原子炉の概略構成を示す模式的縦断面図であり、図９は、インターナルポンプの縦断面図である。図１０は、インターナルポンプの主要部の拡大縦断面図である。
【０００４】
図８に示すように、原子炉圧力容器１内には、炉心を取囲む炉心シュラウド２が収納されている。原子炉圧力容器１の内面と炉心シュラウド２との間に形成される断面形状のダウンカマ３の下方には、原子炉圧力容器１の下鏡を貫通する貫通部に複数のインターナルポンプ４が円周方向に等配で設置されている。このインターナルポンプ４によって原子炉圧力容器１の炉水が強制循環させられ炉心を冷却している。
【０００５】
図９に示すように、インターナルポンプ４は、ポンプ部１０とモータ部１１とによって構成されている。ポンプ部１０は、モータ部１１によりポンプシャフト１５を介して駆動されるインペラ１２と、これを同心で包囲するディフュザ１３とを有する。ディフューザ１３は、原子炉圧力容器１の底部に突設され、ポンプシャフト１５を同心状に包囲するノズル１６の上部にストレッチチューブ１７を介して固定されている。ストレッチチューブ１７は、ストレッチチューブナット１８により固定されている。また、ストレッチチューブナット１８の下方には、シール部材により二次シール１９が施されている。
【０００６】
モータ部１１は、ロータ２０とステータ２１とを有し、これらを収納するモータケーシング２２の先端部が、ノズル１６内に挿入され、原子炉圧力容器１の下鏡に溶接にて固定されている。
【０００７】
このような構成のインターナルポンプ４において、保守点検作業は次のように行われる。
【０００８】
まず、二次シール１９によってモータケーシング２２とポンプシャフト１５の間をシールし、原子炉圧力容器１内の炉水を遮断する。この後、モータケーシング２２内の炉水を排出させる。
【０００９】
次いで、モータケーシング２２の底板２２ａから補助カバー２４を取外してカップリングスタッドナット２５を取外し、ポンプシャフト１５とモータ部１１とを切り離す。この状態で、底板２２ａを接続しているメインスタッドナットを緩め、モータ部１１とポンプシャフト１５とをそれぞれ自重により降下させる。
【００１０】
この降下により、ポンプシャフト１５の突起１５ａがノズル１６の上面に接して炉水のシール（一次シール）が施される。この状態においても、上述した二次シール１９によるシールが機能しており、モータケーシング内の排水を再度実施する。ここで、カップリングスタッドナット２５を取外してモータ部３２を取外す。
【００１１】
次に、モータケーシング２２に底板２２ａおよび補助カバー２４を取付け、その後に補給水をモータケーシング２２内に充填し二次シール１９を解除する。この状態で原子炉圧力容器１の上方より遠隔操作によりインペラをポンプシャフトとともに取外す。
【００１２】
次いで、図１０に示すように、原子炉圧力容器１の上方からディフューザの開口部を図１０に示すように楔形の上部プラグ３１ａにより閉塞し、モータケーシング２２内の排水を行う。ここで、モータケーシング２２の底板２４を外してモータケーシング２２内から二次シール１９、ストレッチチューブナット２５を取外す。
【００１３】
次いで、モータケーシング２２に底板２４を再度取付けた後、モータケーシング２２内に純水注水系より純水を充填し、インターナルポンプ４の取付けを上記とは逆手順を行う。
【００１４】
このようなインターナルポンプ４の取付け、取外しにおいて、上部プラグ３１ａを装着した状態でモータケーシング２２側より補給水する場合、モータケーシング２２内のエアベントはインターナルポンプ４の熱交換器３０より行うことができるが、このエアベントは二次シール１９近傍までしか行うことができない。
【００１５】
そのため、上部プラグよりエアの排気を行う必要があるが、上部プラグを取付けた際のモータケーシング２２内は大気圧であるのに対し原子炉圧力容器内の水圧は原子炉ウエルの水面から数十メートルの水頭圧である。したがって、モータケーシング２２に前記水頭圧以上の注水圧を作用させた場合、上部プラグを押し上げてエア、水圧等を原子炉圧力容器側に排出、排水することができる。
【００１６】
しかしながら、上記の排出、排水に際して上部プラグが浮き上がって転倒したり位置がずれたりすると、注水圧を取り除いても上部プラグの位置が復帰せず原子炉圧力容器の上部より遠隔でその位置を修正する必要がある。
【００１７】
また、モータケーシング２２の底板を開放した状態で上部プラグを引き抜いた場合、炉水を流出する可能性もある。
【００１８】
更に、ストレッチチューブ１７の上部内壁にプラグを差し込む場合、ストレッチチューブ内壁を清掃したり、メンテナンスする機器をモータケーシング２２側より挿入しストレッチチューブ１７の健全性を確認することができない課題がある。
【００１９】
なお、上記事情のもとで、出願人は種々の提案を行った。すなわち、ポンプケーシング内への炉水の侵入を防止するためのインターナルポンプ用上部プラグ（特許文献１参照）、保守点検作業を容易にするインターナルポンプ用測定具（特許文献２参照）、メンテナンス時における炉水漏洩防止のための水密装置（特許文献３参照）および補給水系の系統水圧力がかかった場合の浮き上がり防止を図ったインターナルポンプ用プラグ装置（特許文献４参照）等である。
【００２０】
【特許文献１】
特開平６−５１０９２号公報
【００２１】
【特許文献２】
特開平６−３００８８４号公報
【００２２】
【特許文献３】
特開平７−１１３８９２号公報
【００２３】
【特許文献４】
特開平８−１０５９９３号公報
【００２４】
【発明が解決しようとする課題】
上述したように、従来技術においては、メンテナンス等における炉水の排出、排水に際して上部プラグが浮き上がって転倒する可能性がある。また、モータケーシング２２の底板を開放した状態で上部プラグを引き抜いた場合、炉水を流出する可能性、あるいはストレッチチューブ１７の上部内壁にプラグ３１ａを差し込む場合、ストレッチチューブ１７内壁の清掃機器、メンテナンスする機器等をモータケーシング２２側より挿入し、ストレッチチューブ１７の健全性を確認することができない場合がある。
【００２５】
本発明は、このような事情に鑑みてなされたもので、上部プラグの予期しない引抜き操作に安全に対応でき、ストレッチチューブ内のメンテナンスにも対応できるインターナルポンプ用上部プラグを提供することを目的とする。
【００２６】
【課題を解決するための手段】
上記の課題を解決するため、請求項１に係る発明では、原子炉圧力容器の下鏡部を貫通して鉛直に設けられたインターナルポンプのノズル部分をモータケーシングの上方から閉塞するインターナルポンプ用上部プラグであって、前記モータケーシングに接続されるストレッチチューブの上端にその下端が当接する中空円筒と、この中空円筒の下端に設けられ前記ストレッチチューブの上端に密着して炉水の水頭圧に抗するシール性を付加するシール部材と、前記中空円筒の上端側に連結された掴み球とを備え、前記掴み球を前記原子炉圧力容器の上方から吊下具を介して把持可能としたことを特徴とするインターナルポンプ用上部プラグを提供する。
【００２７】
請求項２に係る発明では、前記掴み球と前記中空円筒との間に、一定以上の荷重が作用し、場合に破断して上下に分離可能な破断部を設けた請求項１記載のインターナルポンプ用上部プラグを提供する。
【００２８】
請求項３に係る発明では、前記掴み球は、垂直な軸の上下に１対設けられ、前記破断部は、前記下側の掴み球の上端もしくは内部に配置されれている請求項２記載のインターナルポンプ用上部プラグを提供する。
【００２９】
請求項４に係る発明では、前記上側の掴み球と、下側の掴み球とは、結合索によって連結されている請求項３記載のインターナルポンプ用上部プラグを提供する。
【００３０】
請求項５に係る発明では、前記中空円筒の周壁は、前記モータケーシング内への中水時に上向きに整流する浮き上り防止形状を有する請求項１記載のインターナルポンプ用上部プラグを提供する。
【００３１】
なお、本発明において望ましい構成は、下記の通りである。
【００３２】
原子炉圧力容器の下鏡部を貫通して鉛直に取付けられたノズル部分の内面に密着して取付けられたモータケーシングを閉塞するインターナルポンプにおいて、上部プラグのプラグ本体を中空円筒状に形成するとともに、前記円筒構造体の下端を前記モータケーシングと前記ノズル部分を結合させるストレッチチューブの上端面に設置させて炉水の水頭圧に対しシール性を有するシールと、前記プラグ本体の上蓋部分に水頭圧に抗するためのシール性を有する排気弁を有する掴み球とから構成する。
【００３３】
前記掴み球と前記中空円筒との間を分離する破断部を有する構成とする。
【００３４】
掴み球を二段にて構成し、第１の掴み球が中空円筒より分離した後に第２の掴み球により掴み機能を継続する構成とする。
【００３５】
前記第一の掴み球と前記中空円筒の間が炉内で分離することが無いように結合索を有する構成とする。
【００３６】
前記中空円筒の底面に前記シール部材を挿入し易くするためにシール部材の嵌合部分に空気圧が上昇に逃がし得る空気室を設ける。
【００３７】
前記中空円筒と前記シール部材とが分離して前記シール部が脱落してしまうことなく、またシール時に水頭圧の印加により前記シール部と前記中空円筒との嵌合を強固とする楔状のチューブシール形状とする。
【００３８】
前記シール部の形状を山型の突起を有する形状とし、ストレッチチューブの上端面に密着性を向上させるため、その部分の硬度を前記中空円筒に挿入される部分に比較して軟らかく構成する２層構造とする。
【００３９】
前記中空円筒の外表面に流路を設け、前記モータケーシングからの注水により前記中空円筒が浮き上がらないように注水の流れを整流する構造とする。すなわち、前記中空円筒の外表面に流路を設け、前記モータケーシングからの注水を整流し前記中空円筒の浮き上がり量を一定とするようにする。
【００４０】
前記モータケーシングへの注水量を流量調節弁等により２００ｌ／ｍｉｎ以内に制限する構成とする。
【００４１】
前記上部プラグは、ワイヤローブ等によりデフューザ部に吊り下ろす場合あるいは前記モータケーシングからの注水時に本インターナルポンプ用上部プラグが傾斜することがないように、前記中空円筒にバランスウエイトを取付ける。
【００４２】
【発明の実施の形態】
以下、本発明の一実施形態について、図面を参照して説明する。図１はインターナルポンプ用上部プラグの全体構成を拡大して示す縦断面図であり、図２は図１のＡ矢視図であり、図３は同じくＢ矢視図である。図４は、シール部材の設置状態を示す断面図であり、図５は上部プラグの原子炉圧力容器内における設置状態を示す断面図である。図６（ａ），（ｂ）および図７（ａ），（ｂ）は、それぞれ上部プラグの炉水閉止方法を示す説明図である。なお、インターナルポンプ４部の構成については、図９と同一の符号を付して説明する。
【００４３】
本実施形態では、基本的に、原子炉圧力容器の下鏡部を貫通して鉛直に取付けられたノズル部分の内面に密着して取付けられたモータケーシングを閉塞するインターナルポンプにおいて、上部プラグのプラグ本体を中空円筒状に形成するとともに、円筒構造体の下端をモータケーシングとノズル部分を結合させるストレッチチューブの上端面に設置させて炉水の水頭圧に対しシール性を有するシールと、プラグ本体の上蓋部分に水頭圧に抗するためのシール性を有する排気弁を有する掴み球とを備えた構成となっている。
【００４４】
すなわち、図１〜図３に示すように、上部プラグ３１は概略的に、縦長な中空円筒３２と、この中空円筒３２の上部に取付けた上部掴み球３３と、この上部掴み球３３の構成材に内蔵される下方配置の下部掴み球３４と、この２段の掴み球３３，３４を接続し、水頭圧の有無によりこれら掴み球３３，３４の結合を解除するための破断ピン３５と、この破断ピン３５を上下部掴み球３３，３４に接続するピン３９と、破断ピン３５が破断した場合に、上部掴み球３３と下部掴み球３４とを一定間隔で繋ぎ止める結合索３６とを備えている。
【００４５】
詳述すると、中空円筒３２は、上底壁上に縦壁で囲まれた上部空間４７を有し、縦壁には上底壁上への水の滞留を防止するための水流下用の開口部３２ａが周方向に間隔を開けて設けられるとともに、上底壁上には枠状部分３２ｃが形成されている。
【００４６】
この上部プラグ３１は、ディフューザ１３の中心位置に配置され、ストレッチチューブ１７の上端部に載置されるため、この上部プラグ３１の躯体である中空円筒３２の下端には、シール部材としてのシールリング３７が配置されている。このシールリング３７は、例えばシリコンゴム等からなる弾性材料によって構成されている。
【００４７】
また、図４に示すように、シールリング３７は、中空円筒３２から分離して脱落してしまうことなく、またシール時に水頭圧の印加に対する嵌合を強固とするため、楔状のチューブシール形状とされている。例えばシールリング３７は山型の突起を有する形状とし、ストレッチチューブ１７の上端面に密着性を向上させるため、その部分の硬度を中空円筒３２に挿入される部分に比較して軟らかく構成する２層構造とすることが望ましい。そして、中空円筒３２の下端縁部には、シールリング３７を挿入し易くするために、シール部材の嵌合部分に空気圧が上昇に逃がし得る空気室３７ａが設けられている。
【００４８】
また、図１に示すように、中空円筒３２の外表面には上下方向の流路３２ｂが溝状に設けられ、モータケーシング２２からの注水により中空円筒３２が浮き上がらないように、注水の流れを整流する構造となってい。すなわち、中空円筒３２の外表面に流路３２ｂを設けることにより、モータケーシング２２（図５参照）からの注水が整流され、中空円筒３２の浮き上がり量が一定となるように調整される。
【００４９】
なお、本実施形態による上部プラグ３１の全体荷重を考慮した場合、モータケーシング２２への注水量は、流量調節弁等により２００ｌ／ｍｉｎ以内に制限する構成とすることが望ましい。
【００５０】
なお、図示しないが、上部プラグ３１をワイヤロープ等によりデフューザ部に吊下す場合、あるいはモータケーシング２２からの注水時に上部プラグ３１が傾斜することがないように、中空円筒３２にはバランスウエイトを取付けることが望ましい。
【００５１】
また、モータケーシング２２との間に残存したエアを排気するため、中空円筒３２の上底部の上面と下部掴み球３４の構造材の下面との間には、下端シール３８による弁構造が設けられている。すなわち、この下端シール３８は、残存エアによって中空円筒３２の上底部の下面側中央に穿設した孔を通して下部掴み球３４の構造材が引き上げられることにより、中空円筒３２の上底部の間隙がシール３８の閉止から解放されることにより排気されるようにしたものである。
【００５２】
なお、中空円筒３２の中央位置には、下部掴み球３４の構造材が上底部から下方に突出する座支持軸４１、この座支持軸４１の下端に螺合するナット４２およびナット４２に支持された座４０およびスプリング４３等により、下部掴み球３４の構造材の移動、設置等の際における下端部の当接に対する緩衝機構が設けられている。すなわち、座４０の部分が何らかの下方に存在する部材に当接した場合に、後述の破断ピン３５が不要に破断すること等を防止するようになっている。
【００５３】
下部摘み球３４は、平坦な板状の盤状の下部掴み球保持具４４を連結ボルト４５により中空円筒３２に取付けたものであり、下部掴み球保持具４４の中央上方に立上る軸部を介して連結されている。下部摘み球３４の中央部には縦長な孔が開口しており、この孔内に破断ピン３５が挿入され、破断ピン３５の下端部が上記の軸部にピン３９を介して連結されている。破断ピン３５には、下部摘み球３４の内部に位置して、その破断ピン３５の一部が部分的に小径となる分離可能な破断部３５ａが設けられている。
【００５４】
破断ピン３５の上端は、図１〜図３に示すように、下端側のピン３９と同様のピン３９を介して、上部掴み球３３の構造材である上部軸４６に連結されている。そして、上部軸４６の下部には結合索３６取付け用のフランジ状部分に設けた結合索取付け具３６ａを介して結合索３６の一端が設けられている。結合索３６の他端は、下部掴み球３４側に設けられた結合索取付け具３６ｂに連結されている。これにより、破断ピン３５が破断した場合でも、上部掴み球３３と下部掴み球３４とが離散しない構成となっている。なお、結合索３６は、ステンレスワイヤ等より構成される。
【００５５】
このように、掴み球３３，３４は、垂直な軸の上下に１対設けられ、破断部３５ａは、下部掴み球３４の上端もしくは内部に配置されれ、上部掴み球３３と下部掴み球３４とは、結合索３６によって連結されている。
【００５６】
上記構成の本発明の上部プラグ３１は、インターナルポンプ４のインペラ１２、ポンプシャフト１５を取外した後に取付けることとなる。上部掴み球３３はインペラ１２の頭部と形状を一致させてあるため、インペラ１２の取外しに使用される掴み治具５０を使用することが可能である。掴み治具５０により上部掴み球３３を把持してプラグ本体のシールリング３７をストレッチチューブの最上部分に設置される。引き上げには掴み治具５０を使用することができる。
【００５７】
なお、本実施形態では、図５に示すように、掴み球把持機構５２を原子炉圧力容器上方から吊具５４によって吊下げることができ、また図７に示すような上部掴み球３３を一時的にポンプデッキ５１等に仮置きする仮置き架台５３を備えている。
【００５８】
次に作用を説明する。まず、上部プラグ３１をストレッチチューブ部に装着し、モータ部１１を下方に引き抜いて取外し、モータケーシング２２の下面に閉止フランジ２２ａを装着する。
【００５９】
そして、上述した吊具５４および掴み球把持機構５２により、図５に示したように、上部プラグ３１をストレッチチューブ１７上に載置する。この場合、モータケーシング２２への注水によりモータケーシング２２側からの圧力が作用すると、上部プラグ３１が上下動を行い圧力を開放することができる。また、上部プラグ３１はその側面に径方向に突起したスリット状の流路としての溝３２ｂを有するため、圧力解放時に生じる水流を整流して上部プラグ３１とディフューザ１３との間を通過させることができる。
【００６０】
このときの上部プラグ３１の浮き上がり量については、モータケーシング２２への注水を流量調整弁にて制御することができる。すなわち、使用する流量は、例えば１５０ｌ／ｍｉｎ以下とすることが望ましく、これにより上部プラグ３１の押上げ力を軽減することができる。
【００６１】
また、この流路としての溝３２ｂを使用して、モータケーシング２２内のエアを完全に排気する効果もある。さらに、モータケーシング２２と原子炉圧力容器１の圧力とを一致させるために、掴み球３３，３４を持上げてシール３８を開放してもよい。
【００６２】
ここで、原子炉圧力容器１の上部で作業する作業者が、閉止中の上部プラグ３１を誤って操作して取外した場合の対策について説明する。
【００６３】
図６は、上部プラグ３１がストレッチチューブ１７の上に設置され、モータケーシング２２とのバウダリーを形成している状態を示している。この図６に示す状態で作業者が誤って掴み具５０を操作し、上部プラグ３１を引き上げた場合には、図７に示すように、水頭圧に抗しきれず、破断ピン３５が切断されて上部掴み球３３と破断ピン３５の上半分が掴み治具５０により引き上げられる。
【００６４】
この結果、上部プラグ３１の中空体３２は炉水の閉塞を継続することができる。掴み治具５０により引き上げられた上部掴み球３３と破断ピン３５の上半分とは、ディフューザ１３の近傍のポンプデッキ５１に仮置きされる。
【００６５】
掴み治具５０が自身の安全装置により着座しなければ掴み状態を変更できない場合には、図８に示すように、仮置架台５３を利用して、疑似的に着座状態を構成してもよい。
【００６６】
仮置きされた上部掴み球３３等は、ステンレスワイヤ等からなる結合索３６によって離散を防止することができる。次に、破断ピン３５による安全装置が動作した後の回収は下部掴み球３４を利用して行う。
【００６７】
なお、上部プラグ３１はモータケーシング２２へ注水を行いながら引き抜いてもよい。
【００６８】
以上で詳述したように、本実施形態のインターナルポンプ用上部プラグによれば、原子炉圧力容器の下鏡部を貫通して鉛直に取付けられたノズル部分の内面に密着して取付けられたモータケーシング２２を閉塞するインターナルポンプ４において、上部プラグのプラグ本体を中空円筒状に形成するとともに、円筒構造体の下端をモータケーシング２２とノズル部分を結合させるストレッチチューブ１７の上端面に設置し水頭圧に対しシール性を有するシールと、中空円筒部３２の上蓋部分に水頭圧に抗するためのシール性を有する排気弁を有する掴み球３３，３４とから構成されるため、上部プラグ３１を取付けた状態でモータケーシング２２からエアの排出を容易に行え、また、ストレッチチューブの保守を炉水閉塞状態で行うことが可能となる。
【００６９】
また、掴み球を二段の掴み球３３、３４として構成し、水頭圧が印加されている状態で一方の掴み球３３を掴みあげた場合、掴み球３３，３４の間が分離する破断部３５ａと、一方の掴み球３３と上部プラグ３１の中空円筒３２の間を繋ぐ結合索３６とから構成されるため、インターナルポンプ４の分解再組立時のモータ出し入れ作業並びに底板・閉止フランジの着脱作業中に誤って上部プラグを取外す恐れがなく、上部プラグの予期しない引抜き操作に安全に対応できる。
【００７０】
【発明の効果】
本発明によれば、インターナルポンプ用上部プラグの予期しない引抜き操作に安全に対応することができるとともに、ストレッチチューブ内のメンテナンスにも対応できる等の優れた効果が奏される。
【図面の簡単な説明】
【図１】本発明に係るインターナルポンプ用上部プラグの一実施形態を示す断面図。
【図２】図１のＡ矢視図。
【図３】図１のＢ矢視図。
【図４】本発明の一実施形態におけるシール構造部を示す断面図。
【図５】本発明の一実施形態による上部プラグを原子炉圧力容器内に設置した状態を示す断面図。
【図６】（ａ），（ｂ）は本発明の一実施形態による上部プラグの炉水閉止方法を示す説明図。
【図７】（ａ），（ｂ）は本発明の一実施形態による上部プラグの炉水閉止方法を示す説明図。
【図８】インターナルポンプを内蔵した沸騰水型原子炉の概略構造図。
【図９】図８に示すインターナルポンプの縦断面図。
【図１０】従来の上部プラグの構成および設置状態を示す縦断面図。
【符号の説明】
１  原子炉圧力容器
２  炉心シュラウド
３  ダウンカマ
４  インターナルポンプ
１２  インペラ
１３  ディフューザ
１５  ポンプシャフト
１５ａ  突起
１６  ノズル
１７  ストレッチチューブ
２０  ロータ
２１  ステータ
２２  モータケーシング
２２ａ  底板
２３  冷却水配管
２４  補助カバー
２５  カップリングスタッドナット
３１  上部プラグ
３２  中空円筒
３２ａ  溝
３３  上部掴み球
３４  下部掴み球
３５  破断ピン
３５ａ  破断部
３６  結合索
３６ａ，３６ｂ  結合索取付け具
３７  シールリング
３７ａ  空気室
３８  上部シール
３９  ピン
４０  座
４１  座支持軸
４２  ナット
４３  スプリング
４４  下部掴み球保持具
４５  連結ボルト
４６  上部軸
４７  上部空間
５０  掴み治具
５１  ポンプデッキ
５２  掴み球把持機構
５３  仮置き架台
５４  吊具
【図１】
2004340638.tif 000003
【図２】
2004340638.tif 000004
【図３】
2004340638.tif 000005
【図４】
2004340638.tif 000006
【図５】
2004340638.tif 000007
【図６】
2004340638.tif 000008
【図７】
2004340638.tif 000009
【図８】
2004340638.tif 000010
【図９】
2004340638.tif 000011
【図１０】
2004340638.tif 000012